【手続補正書】
【提出日】令和3年3月12日(2021.3.12)
【手続補正１】
【補正対象書類名】明細書
【補正対象項目名】全文
【補正方法】変更
【補正の内容】
【発明の詳細な説明】
【発明の名称】リソースを構成するための方法、ユーザ機器、ネットワークデバイスおよびコンピュータ記憶媒体
【技術分野】
【０００１】
本開示は、情報処理の技術分野に関し、特に、リソースを構成するための方法、ユーザ機器（ＵＥ）、ネットワークデバイス、およびコンピュータ記憶媒体に関する。
【背景技術】
【０００２】
第４世代ロングタームエボリューション（４Ｇ  ＬＴＥ）では、ＵＥは常にキャリアのシステム帯域幅をサポートする。リソース割り当ては、システム帯域幅全体で実行される。第５世代ニューラジオ（５Ｇ  ＮＲ）におけるニューラジオエアインターフェースでは、キャリアのシステム帯域幅が劇的に増加し、最大４００ＭＨｚになり得る。ＵＥは、システム帯域幅よりもはるかに小さい帯域幅のみをサポートし得るか、またはその帯域幅においてのみ動作する必要があり得る。また、システム帯域幅全体にわたるリソース割り当てにより、シグナリングのオーバーヘッドが大きくなりすぎる。２段階リソース割り当て手法が導入されている。ＵＥがサポートする帯域幅よりも小さい「帯域幅部分」が示される。次に、詳細な物理リソースブロック（ＰＲＢ）がその帯域幅部分にわたって示される。また、帯域幅部分はｇＮｏｄｅＢ（ｇＮＢ）によって準静的に構成される。ＵＥの帯域幅部分構成は、随時変更することができる。例えば、同期信号（ＳＳ）、物理ブロードキャストチャネル（ＰＢＣＨ）、システム情報（ＳＩ）、共通制御チャネルなど、共通の制御信号を含むスロット／ミニスロット（ここでは、ミニスロットは部分的なスロットと考えることができる）において、ＵＥの帯域幅部分のサイズおよび位置は、ＵＥが共通制御信号を読み取ることを可能にするように、共通制御信号の帯域幅をカバーする必要がある。ただし、共通制御信号を含まないスロット／ミニスロットでは、ＵＥの帯域幅部分のサイズおよび位置を再構成して、スケジューリングの柔軟性の要件を満たすことができる。
【発明の概要】
【発明が解決しようとする課題】
【０００３】
従来の手法では、（１つまたは複数の構成を含む）帯域幅部分構成の単一のグループが、ダウンリンク（ＤＬ）シグナリング（無線リソース制御（ＲＲＣ）シグナリングまたはダウンリンク制御情報（ＤＣＩ））によって示される。これにより、次に利用可能なＤＬシグナリングの前に、すべてのスロット／ミニスロットに帯域幅部分構成の１つのグループのみが使用されるという欠陥が生じる。すなわち、次に利用可能なＤＬシグナリングの前のすべてのスロット／ミニスロットにわたって、ＵＥの帯域幅部分は常に共通制御信号の帯域幅をカバーする必要がある。これにより、リソース割り当ての柔軟性が劇的に制限され、システム帯域幅の異なる部分間で負荷が不均衡になる。
【課題を解決するための手段】
【０００４】
上記の技術的問題に鑑みて、本開示の実施形態は、リソースを構成するための方法、ＵＥ、ネットワークデバイス、およびコンピュータ記憶媒体を提供する。
【０００５】
本開示の実施形態は、ＵＥにおいて実行される、リソースを構成するための方法であって、ネットワーク側から第１の情報を受信することであり、第１の情報は少なくとも１つの帯域幅部分の構成をＵＥに示す、受信することと、少なくとも１つの構成済み帯域幅部分の少なくとも一部をアクティブにすること、または、ネットワーク側を通じて少なくとも１つの構成済み帯域幅部分の少なくとも一部をアクティブにすることとを含む、方法を提供する。
【０００６】
本開示の実施形態は、ネットワークデバイスにおいて実行される、リソースを構成するための方法であって、ＵＥに第１の情報を送信することを含み、第１の情報は少なくとも１つの帯域幅部分の構成をＵＥに示し、結果、ＵＥは、少なくとも１つの構成済み帯域幅部分の少なくとも一部をアクティブにし、または、結果、ＵＥは、ネットワークデバイスを通じて少なくとも１つの構成済み帯域幅部分の少なくとも一部をアクティブにする、方法を提供する。
【０００７】
本開示の実施形態は、ＵＥであって、ネットワーク側から第１の情報を受信するように構成されている第１の通信ユニットであり、第１の情報は少なくとも１つの帯域幅部分の構成をＵＥに示す、第１の通信ユニットと、少なくとも１つの構成済み帯域幅部分の少なくとも一部をアクティブにするか、または、ネットワーク側を通じて少なくとも１つの構成済み帯域幅部分の少なくとも一部をアクティブにするように構成されている第１の処理ユニットとを含む、ＵＥを提供する。
【０００８】
本開示の実施形態は、ネットワークデバイスであって、ユーザ機器（ＵＥ）に第１の情報を送信するように構成されている第２の通信ユニットを含み、第１の情報は少なくとも１つの帯域幅部分の構成をＵＥに示し、結果、ＵＥは、少なくとも１つの構成済み帯域幅部分の少なくとも一部をアクティブにし、または、結果、ＵＥは、ネットワークデバイスを通じて少なくとも１つの構成済み帯域幅部分の少なくとも一部をアクティブにする、ネットワークデバイスを提供する。
【０００９】
本開示の実施形態は、ＵＥであって、プロセッサと、プロセッサ上で実行可能なコンピュータプログラムを記憶しているメモリとを含み、プロセッサがコンピュータプログラムを実行するときに、プロセッサは、上記の方法を実行するように構成される、ＵＥを提供する。
【００１０】
本開示の実施形態は、ネットワークデバイスであって、プロセッサと、プロセッサ上で実行可能なコンピュータプログラムを記憶しているメモリとを備え、プロセッサがコンピュータプログラムを実行するときに、プロセッサは、上記の方法を実行するように構成される、ネットワークデバイスを提供する。
【００１１】
本開示の実施形態は、実行されるときに上記の方法を実行するコンピュータ実行可能命令を記憶しているコンピュータ記憶媒体を提供する。
【００１２】
本開示の実施形態の技術的解決策によれば、ＵＥのリソース割り当ての柔軟性が十分に改善されるように、複数のスロット／ミニスロットに対して１つのみの構成済み帯域幅部分がアクティブにされる。さらに、すべてのＵＥの帯域幅部分を、帯域幅全体を通じて柔軟に構成することができるため、システム帯域幅の様々な部分間ではるかに優れた負荷分散を実現することができる。システム帯域幅全体にわたる周波数リソースをより効率的に利用することができる。
【図面の簡単な説明】
【００１３】
【図１】本開示の一実施形態によるリソースを構成するための方法を示すフローチャートである。
【図２】第１のシナリオを示す概略図である。
【図３】第２のシナリオを示す概略図である。
【図４】第３のシナリオを示す概略図である。
【図５】ＵＥの構成を示す概略図である。
【図６】ハードウェアアーキテクチャの構成を示す概略図である。
【発明を実施するための形態】
【００１４】
本開示の実施形態の特徴および技術的概念をよりよく理解するために、本開示の実施形態を添付の図面を参照して詳細に説明する。添付の図面は例示のために提供されており、本開示の実施形態を限定することを意図するものではない。
【００１５】
第１の実施形態
本開示の実施形態は、リソースを構成するための方法を提供する。この方法は、ＵＥにおいて実行される。図１に示すように、この方法は以下の動作を含む。
【００１６】
ブロック１０１において、ネットワーク側から第１の情報が受信される。ここで、第１の情報は、少なくとも１つの帯域幅部分の構成をＵＥに示すために使用される。
【００１７】
ブロック１０２において、少なくとも１つの構成済み帯域幅部分の少なくとも一部がアクティブにされるか、ネットワーク側を通じて少なくとも１つの構成済み帯域幅部分の少なくとも一部がアクティブにされる。
【００１８】
上記の解決策によれば、ＵＥは第１の情報を受信することができ、第１の情報は、帯域幅部分構成のセットを示すために使用される。異なるスロット／ミニスロットの帯域幅部分の構成は異なる場合がある。
【００１９】
本実施形態では、各帯域幅部分構成は、１つまたは複数の帯域幅ＷＵＥを構成する。ＷＵＥ≦Ｗであり、ここでＷはシステム帯域幅である。ＵＥの送信および／または受信のためのリソースは、ＷＵＥ内で割り当てられる。
【００２０】
少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含み得る。
【００２１】
この構成は、例えば、スロット内のＤＬ部分および／またはＵＬ部分の位置および／または持続時間などの時間領域構造を含むことができる。
【００２２】
少なくとも１つの信号の構成に関する情報は、同期信号、ブロードキャストチャネル、システム情報、参照信号などの構成のうちの少なくとも１つであり得る。
【００２３】
上記の構成情報は、異なるスロット／ミニスロットの帯域幅部分構成間で異なる可能性があることにも留意されたい。
【００２４】
帯域幅部分の少なくとも一部をアクティブにする方法について以下に説明する。
【００２５】
一実施形態では、ＷＵＥは、第１の情報によって直接示される。
【００２６】
実施形態において、ネットワーク側から第１の情報を受信することは、ＲＲＣシグナリングを介してネットワーク側から第１の情報を受信することを含むことができる。
【００２７】
例えば、図２に示すように、期間１において、ＵＥは、各々が１つまたは複数のスロット／ミニスロットの少なくとも１つのＷＵＥ（例えば図２では１つのＷＵＥをとる）の構成を含む、帯域幅部分構成のセット（例えば、図２では４つの構成をとる）を含む第１の情報を（例えば、ＲＲＣシグナリングにおいて）受信する。例えば、図２では、帯域幅部分１−１はスロット／ミニスロット１−１のために構成され、帯域幅部分１−２はスロット／ミニスロット１−２のために構成され、帯域幅部分１−３はスロット／ミニスロット１−３のために構成され、帯域幅部分１−４はスロット／ミニスロット１−４のために構成されている。
【００２８】
異なるスロット／ミニスロットの帯域幅部分の構成は異なる。例えば、図２では、上記４つの帯域幅部分のサイズおよび位置が異なる。
【００２９】
期間２において、ＵＥは、後続のスロット／ミニスロットの帯域幅部分構成の別のセットを含む更新された第１のメッセージを受信できる。
【００３０】
上記の処理は、ＵＥが第１の情報を使用して構成を実行することができるように採用することができる。
【００３１】
上記の解決策に基づいて、ＵＥ自体が、少なくとも１つの構成済み帯域幅部分の少なくとも一部をアクティブにすることができる。具体的には、一度に、少なくとも１つの構成済み帯域幅部分の少なくとも一部が時間領域構造に従ってアクティブにされる。
【００３２】
この方法は、ネットワーク側から第４の情報を受信することをさらに含む。ここで、第４の情報は、時間領域構造をＵＥに示す。
【００３３】
時間領域構造は、ＵＥの帯域幅部分の一部をアクティブにすべきか否かを制御するために使用される。例えば、タイマにより所定の時間がカウントされると、指示された部分を一度にアクティブにするように制御を行うことができる。
【００３４】
さらに、時間領域構造に従って少なくとも１つの構成済み帯域幅部分の少なくとも一部をアクティブにすることは、アクティブにすべき帯域幅部分としての少なくとも１つの構成済み帯域幅部分の第１の帯域幅部分、および、帯域幅部分がアクティブであるときに対応する持続時間を決定することと、上記持続時間が経過したときに、アクティブな帯域幅部分を、少なくとも１つの構成済み帯域幅部分の第２の帯域幅部分に変えることとを含むことができる。
【００３５】
ここで、持続時間はタイマを使用して決定することができる。例えば、第１の帯域幅部分がアクティブな帯域幅部分として決定されると、タイマは時間のカウントを開始することができ、タイマが事前に構成された期間をカウントすると、持続時間が経過したと判定される。
【００３６】
無論、一実施形態では、帯域幅部分がアクティブである持続時間は、スロットまたはミニスロットまたはシンボルまたはｍｓの単位で構成されてもよい。換言すれば、例えば、持続時間がＮ個のミニスロットまたはＮ個のシンボルまたはＮミリ秒に達したとき、持続時間が経過したと判定される。ここで、Ｎは整数である。
【００３７】
第１の帯域幅部分は、少なくとも１つの帯域幅部分のすべてまたは一部を参照し得る。換言すれば、１つまたは複数の第１の帯域幅部分が存在する場合がある。
【００３８】
実施形態では、方法は、ネットワーク側から第３の情報を受信することをさらに含むことができる。ここで、第３の情報は、帯域幅部分内のリソース割り当てを示す。
【００３９】
ここで、ネットワーク側から第３の情報を受信することは、ＤＣＩを介してネットワーク側から第３の情報を受信することを含むことができる。
【００４０】
ここで、別の実施形態では、候補のセットが第１の情報によって示されてもよく、ＷＵＥは第２の情報によって示されてもよい。
【００４１】
最初に、第１の情報がネットワーク側から受信される。
【００４２】
次に、ネットワーク側から第２の情報が受信される。ここで、第２の情報は、使用されるべき少なくとも１つの帯域幅部分が第１の情報を介して送信された少なくとも１つの帯域幅部分から選択されることをＵＥに示す。第２の情報に従って、ネットワーク側により候補帯域幅部分から選択される、使用されるべき帯域幅部分について決定が行われる。
【００４３】
本実施形態では、第２の情報はダウンリンク制御情報（ＤＣＩ）を使用して送信することができ、第１の情報は無線リソース制御（ＲＲＣ）シグナリングを使用して送信することができる。
【００４４】
期間１内で、ＵＥは帯域幅部分構成を含む第１の情報を（例えば、ＲＲＣシグナリングにおいて）受信し、帯域幅部分構成は、ＷＵＥ候補の複数の構成を含む（例えば、図３では４つのＷＵＥ候補をとる）。ＷＵＥ候補の複数の構成は異なり得る。例えば、図３では、４つの帯域幅部分のサイズおよび位置が異なる。
【００４５】
次に、ＵＥは、各々が１つまたは複数のスロット／ミニスロットの４つの候補の中の１つまたは複数のＷＵＥを示す、指示のセット（例えば図３では４つの指示をとる）を含む第２の情報を（例えばＤＣＩを介して）受信する。
【００４６】
第２の情報に含まれる指示のセットは、タイムスロットの識別子、およびタイムスロット／ミニスロットに対応する帯域幅部分の通し番号を含み、結果、スロット／ミニスロット内の選択された帯域幅部分をそれに応じて取得することができる。
【００４７】
図３の例では、各スロット／ミニスロットに対して１つのＷＵＥが示されている。帯域幅部分１−１はスロット／ミニスロット１−１に対して示され、帯域幅部分１−２はスロット／ミニスロット１−２に対して示され、帯域幅部分１−３はスロット／ミニスロット１−３に対して示され、帯域幅部分１−４はスロット／ミニスロット１−４に対して示されている。
【００４８】
異なるスロット／ミニスロットに対して示されている帯域幅部分は異なる。
【００４９】
期間２において、ＵＥは更新された第１の情報を受信することができる。第１の情報は、帯域幅部分候補の別のセットを含むことができる。加えてまたは代替的に、ＵＥは、更新された第２のメッセージを受信してもよい。第２の情報は、後続のスロット／ミニスロットの指示の別のセットを含むことができる。
【００５０】
そのような場合、この方法は、ネットワーク側から第３の情報を受信することをさらに含むことができる。ここで、第３の情報は、帯域幅部分内のリソース割り当てを示す。
【００５１】
ここで、ネットワーク側から第３の情報を受信することは、ＤＣＩを介してネットワーク側から第３の情報を受信することを含むことができる。
【００５２】
従来の解決策では、図４に示すように、期間１のシグナリングと期間２のシグナリングの間に４つのスロット／ミニスロットがあると想定されている。期間１のシグナリングによって帯域幅部分のグループが１つだけ（例えば図１においては単純にするためにグループ内の１つのみの帯域幅部分）構成される場合、グループ帯域幅部分はスロット／ミニスロットごとに変更することはできない。したがって、ＵＥに割り当てられた周波数リソースは、ＳＳおよびＰＢＣＨの隣接リソースのみを含むことができる。これにより、リソース割り当ての柔軟性が大幅に制限される。また、ＳＳおよび物理ブロードキャストチャネル（ＰＢＣＨ）から遠く離れた周波数リソース（図４のシステム帯域幅のサイド部分のリソースなど）を効果的に利用することができない。
【００５３】
本開示の実施形態で提供される解決策によれば、ＵＥの帯域幅部分は、スロット／ミニスロットごとにサイズおよび位置を変更することができる。ＳＳおよび／またはＰＢＣＨを含むスロット／ミニスロットでは、その帯域幅部分を、ＳＳおよび／またはＰＢＣＨをカバーするように構成できる。ＳＳおよび／またはＰＢＣＨを含まないスロット／ミニスロットでは、その帯域幅部分を任意の適切なサイズおよび位置に柔軟に構成することができる。
【００５４】
見てとれるように、本開示の実施形態の技術的解決策によれば、ＵＥのリソース割り当ての柔軟性が十分に改善されるように、複数のスロット／ミニスロットに対して１つのみの構成済み帯域幅部分がアクティブにされる。さらに、すべてのＵＥの帯域幅部分を、帯域幅全体を通じて柔軟に構成することができるため、システム帯域幅の様々な部分間ではるかに優れた負荷分散を実現することができる。システム帯域幅全体にわたる周波数リソースをより効率的に利用することができる。
【００５５】
第２の実施形態
本開示の実施形態は、リソースを構成するための方法を提供する。この方法は、ネットワークデバイスにおいて実行される。方法は、ＵＥに第１の情報を送信することを含み、第１の情報は少なくとも１つの帯域幅部分の構成をＵＥに示し、結果、ＵＥは、少なくとも１つの構成済み帯域幅部分の少なくとも一部をアクティブにし、または、結果、ＵＥは、ネットワークデバイスを通じて少なくとも１つの構成済み帯域幅部分の少なくとも一部をアクティブにする。
【００５６】
上記の解決策によれば、ＵＥは第１の情報を受信することができ、第１の情報は、帯域幅部分構成のセットを示すために使用される。異なるスロット／ミニスロットの帯域幅部分の構成は異なる場合がある。
【００５７】
本実施形態では、各帯域幅部分構成は、１つまたは複数の帯域幅ＷＵＥを構成する。ＷＵＥ≦Ｗであり、ここでＷはシステム帯域幅である。ＵＥの送信および／または受信のためのリソースは、ＷＵＥ内で割り当てられる。
【００５８】
少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含み得る。
【００５９】
この構成は、例えば、スロット内のＤＬ部分および／またはＵＬ部分の位置および／または持続時間などの時間領域構造を含むことができる。
【００６０】
少なくとも１つの信号の構成に関する情報は、同期信号、ブロードキャストチャネル、システム情報、参照信号などの構成のうちの少なくとも１つであり得る。
【００６１】
上記の構成情報は、異なるスロット／ミニスロットの帯域幅部分構成間で異なる可能性があることにも留意されたい。
【００６２】
帯域幅部分の少なくとも一部をアクティブにする方法について以下に説明する。
【００６３】
一実施形態では、ＷＵＥは、第１の情報によって直接示される。
【００６４】
この実施形態では、第１の情報をＵＥに送信することは、少なくとも１つの時間期間の少なくとも一部の間に第１の情報をＵＥに送信することを含むことができる。
【００６５】
例えば、図２に示すように、期間１において、ＵＥは、各々が１つまたは複数のスロット／ミニスロットの少なくとも１つのＷＵＥ（例えば図２では１つのＷＵＥをとる）の構成を含む、帯域幅部分構成のセット（例えば、図２では４つの構成をとる）を含む第１の情報を（例えば、ＲＲＣシグナリングにおいて）受信する。図２の例では、帯域幅部分１−１はスロット／ミニスロット１−１のために構成され、帯域幅部分１−２はスロット／ミニスロット１−２のために構成され、帯域幅部分１−３はスロット／ミニスロット１−３のために構成され、帯域幅部分１−４はスロット／ミニスロット１−４のために構成されている。
【００６６】
異なるスロット／ミニスロットの帯域幅部分の構成は異なる。例えば、図２では、上記４つの帯域幅部分のサイズおよび位置が異なる。
【００６７】
期間２において、ＵＥは、後続のスロット／ミニスロットの帯域幅部分構成の別のセットを含む更新された第１のメッセージを受信できる。
【００６８】
上記の処理は、ＵＥが第１の情報を使用して構成を実行することができるように採用することができる。
【００６９】
上記の解決策に基づいて、ＵＥ自体が、少なくとも１つの構成済み帯域幅部分の少なくとも一部をアクティブにすることができる。具体的には、少なくとも１つの構成済み帯域幅部分の少なくとも一部をアクティブにすることは、時間領域構造に従って少なくとも１つの構成済み帯域幅部分の少なくとも一部を一度にアクティブにすることを含むことができる。
【００７０】
この方法は、第４の情報をＵＥに送信することをさらに含む。ここで、第４の情報は、時間領域構造をＵＥに示す。
【００７１】
時間領域は、ＵＥの帯域幅部分の一部をアクティブにすべきか否かを制御するために使用される。例えば、タイマにより所定の時間がカウントされると、指示された部分を一度にアクティブにするように制御を行うことができる。
【００７２】
さらに、時間領域構造に従って少なくとも１つの構成済み帯域幅部分の少なくとも一部をアクティブにすることは、アクティブにすべき帯域幅部分としての少なくとも１つの構成済み帯域幅部分の第１の帯域幅部分、および、帯域幅部分がアクティブであるときに対応する持続時間を決定することと、上記持続時間が経過したときに、アクティブな帯域幅部分を、少なくとも１つの構成済み帯域幅部分の第２の帯域幅部分に変えることとを含むことができる。
【００７３】
ここで、持続時間はタイマを使用して決定することができる。例えば、第１の帯域幅部分がアクティブな帯域幅部分として決定されると、タイマは時間のカウントを開始することができ、タイマが事前に構成された期間をカウントすると、持続時間が経過したと判定される。
【００７４】
無論、一実施形態では、帯域幅部分がアクティブである持続時間は、スロットまたはミニスロットまたはシンボルまたはｍｓの単位で構成される。換言すれば、例えば、持続時間がＮ個のミニスロットまたはＮ個のシンボルまたはＮミリ秒に達したとき、持続時間が経過したと判定される。ここで、Ｎは整数である。
【００７５】
第１の帯域幅部分は、少なくとも１つの帯域幅部分のすべてまたは一部を参照し得る。換言すれば、１つまたは複数の第１の帯域幅部分が存在する場合がある。
【００７６】
実施形態では、方法は、ネットワーク側から第３の情報を受信することを含むことができる。ここで、第３の情報は、帯域幅部分内のリソース割り当てを示す。
【００７７】
ここで、ネットワーク側は、ＤＣＩを介して第３の情報を送信することにより、第３の情報を送信することができる。
【００７８】
別の実施形態では、候補のセットが第１の情報によって示されてもよく、ＷＵＥは第２の情報によって示されてもよい。
【００７９】
第２の情報がＵＥに送信される。ここで、第２の情報は、使用されるべき少なくとも１つの帯域幅部分が第１の情報を介して送信された少なくとも１つの帯域幅部分から選択されることをＵＥに示す。
【００８０】
第２の情報は、少なくとも１つの期間の少なくとも一部の間に第２の情報をＵＥに送信することにより、ＵＥに送信される。
【００８１】
本実施形態では、第２の情報はＤＣＩを使用して送信することができ、第１の情報はＲＲＣシグナリングを使用して送信することができる。
【００８２】
期間１内で、ＵＥは帯域幅部分構成を含む第１の情報を（例えば、ＲＲＣシグナリングにおいて）受信し、帯域幅部分構成は、ＷＵＥ候補の複数の構成を含む（例えば、図３では４つのＷＵＥ候補をとる）。ＷＵＥ候補の複数の構成は異なり得る。例えば、図３では、４つの帯域幅部分のサイズおよび位置が異なる。
【００８３】
次に、第２の情報がＵＥに（例えばＤＣＩを介して）送信される。第２の情報は、各々が１つまたは複数のスロット／ミニスロットの４つの候補の中の１つまたは複数のＷＵＥを示す、指示のセット（例えば図３では４つの指示をとる）を含む。
【００８４】
第２の情報に含まれる指示のセットは、タイムスロットの識別子、およびタイムスロット／ミニスロットに対応する帯域幅部分の通し番号を含み、結果、スロット／ミニスロット内の選択された帯域幅部分をそれに応じて取得することができる。
【００８５】
図３の例では、各スロット／ミニスロットに対して１つのＷＵＥが示されている。帯域幅部分１−１はスロット／ミニスロット１−１に対して示され、帯域幅部分１−２はスロット／ミニスロット１−２に対して示され、帯域幅部分１−３はスロット／ミニスロット１−３に対して示され、帯域幅部分１−４はスロット／ミニスロット１−４に対して示されている。
【００８６】
異なるスロット／ミニスロットに対して示されている帯域幅部分は異なる。
【００８７】
期間２において、更新された第１の情報もＵＥに送信することができる。第１の情報は、帯域幅部分候補の別のセットを含むことができる。加えてまたは代替的に、更新された第２のメッセージがＵＥに送信されてもよい。第２の情報は、後続のスロット／ミニスロットの指示の別のセットを含み得る。
【００８８】
そのような場合、方法は、第３の情報をＵＥに送信することをさらに含むことができる。ここで、第３の情報は、帯域幅部分内のリソース割り当てを示す。
【００８９】
ここで、ネットワークデバイスはＤＣＩを介して第３の情報を送信することができる。
【００９０】
見てとれるように、本開示の実施形態の技術的解決策によれば、ＵＥのリソース割り当ての柔軟性が十分に改善されるように、複数のスロット／ミニスロットに対して１つのみの構成済み帯域幅部分がアクティブにされる。さらに、すべてのＵＥの帯域幅部分を、帯域幅全体を通じて柔軟に構成することができるため、システム帯域幅の様々な部分間ではるかに優れた負荷分散を実現することができる。システム帯域幅全体にわたる周波数リソースをより効率的に利用することができる。
【００９１】
第３の実施形態
本開示の実施形態は、ＵＥを提供する。図５に示すように、ＵＥは、第１の通信ユニット５１と第１の処理ユニット５２とを含む。
【００９２】
第１の通信ユニット５１は、ネットワーク側から第１の情報を受信するように構成され、第１の情報は、少なくとも１つの帯域幅部分の構成をＵＥに示す。
【００９３】
第１の処理ユニット５２は、少なくとも１つの構成済み帯域幅部分の少なくとも一部をアクティブにするか、または、ネットワーク側を通じて少なくとも１つの構成済み帯域幅部分の少なくとも一部をアクティブにするように構成される。
【００９４】
上記の解決策によれば、ＵＥは第１の情報を受信することができ、第１の情報は、帯域幅部分構成のセットを示すために使用される。異なるスロット／ミニスロットの帯域幅部分の構成は異なる場合がある。
【００９５】
本実施形態では、各帯域幅部分構成は、１つまたは複数の帯域幅ＷＵＥを構成する。ＷＵＥ≦Ｗであり、ここでＷはシステム帯域幅である。ＵＥの送信および／または受信のためのリソースは、ＷＵＥ内で割り当てられる。
【００９６】
少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含み得る。
【００９７】
この構成は、例えば、スロット内のＤＬ部分および／またはＵＬ部分の位置および／または持続時間などの時間領域構造を含むことができる。
【００９８】
少なくとも１つの信号の構成に関する情報は、同期信号、ブロードキャストチャネル、システム情報、参照信号などの構成のうちの少なくとも１つであり得る。
【００９９】
上記の構成情報は、異なるスロット／ミニスロットの帯域幅部分構成間で異なる可能性があることにも留意されたい。
【０１００】
帯域幅部分の少なくとも一部をアクティブにする方法について以下に説明する。
【０１０１】
一実施形態では、ＷＵＥは、第１の情報によって直接示される。
【０１０２】
この実施形態において、第１の通信ユニット５１は、ＲＲＣシグナリングを介してネットワーク側から第１の情報を受信することができる。
【０１０３】
例えば、図２に示すように、期間１において、ＵＥは、各々が１つまたは複数のスロット／ミニスロットの少なくとも１つのＷＵＥ（例えば図２では１つのＷＵＥをとる）の構成を含む、帯域幅部分構成のセット（例えば、図２では４つの構成をとる）を含む第１の情報を（例えば、ＲＲＣシグナリングにおいて）受信する。
【０１０４】
例えば、図２では、帯域幅部分１−１はスロット／ミニスロット１−１のために構成され、帯域幅部分１−２はスロット／ミニスロット１−２のために構成され、帯域幅部分１−３はスロット／ミニスロット１−３のために構成され、帯域幅部分１−４はスロット／ミニスロット１−４のために構成されている。
【０１０５】
異なるスロット／ミニスロットの帯域幅部分の構成は異なる。例えば、図２では、上記４つの帯域幅部分のサイズおよび位置が異なる。
【０１０６】
期間２において、ＵＥは、後続のスロット／ミニスロットの帯域幅部分構成の別のセットを含む更新された第１のメッセージを受信できる。
【０１０７】
上記の処理は、ＵＥが第１の情報を直接的に使用して構成を実行することができるように採用することができる。
【０１０８】
上記の解決策に基づいて、ＵＥ自体が、少なくとも１つの構成済み帯域幅部分の少なくとも一部をアクティブにすることができる。具体的には、一度に、少なくとも１つの構成済み帯域幅部分の少なくとも一部が、第１の処理ユニット５２によって時間領域構造に従ってアクティブにされる。
【０１０９】
第１の通信ユニット５１は、ネットワーク側から第４の情報を受信する。ここで、第４の情報は、時間領域構造をＵＥに示す。
【０１１０】
時間領域構造は、ＵＥの帯域幅部分の一部をアクティブにすべきか否かを制御するために使用される。例えば、タイマにより所定の時間がカウントされると、指示された部分を一度にアクティブにするように制御を行うことができる。
【０１１１】
さらに、第１の処理ユニット５２は、アクティブにすべき帯域幅部分としての少なくとも１つの構成済み帯域幅部分の第１の帯域幅部分、および、帯域幅部分がアクティブであるときに対応する持続時間を決定し、上記持続時間が経過したときに、アクティブな帯域幅部分を、少なくとも１つの構成済み帯域幅部分の第２の帯域幅部分に変えるように構成される。
【０１１２】
ここで、持続時間はタイマを使用して決定することができる。例えば、第１の帯域幅部分がアクティブな帯域幅部分として決定されると、タイマは時間のカウントを開始することができ、タイマが事前に構成された期間をカウントすると、持続時間が経過したと判定される。
【０１１３】
無論、一実施形態では、帯域幅部分がアクティブである持続時間は、スロットまたはミニスロットまたはシンボルまたはｍｓの単位で構成される。換言すれば、例えば、持続時間がＮ個のミニスロットまたはＮ個のシンボルまたはＮミリ秒に達したとき、持続時間が経過したと判定される。ここで、Ｎは整数である。
【０１１４】
第１の帯域幅部分は、少なくとも１つの帯域幅部分のすべてまたは一部を参照し得る。換言すれば、１つまたは複数の第１の帯域幅部分が存在する場合がある。
【０１１５】
第１の通信ユニット５１は、ネットワーク側から第３の情報を受信することができる。ここで、第３の情報は、帯域幅部分内のリソース割り当てを示す。
【０１１６】
ここで、第３の情報は、ＤＣＩを介してネットワーク側から受信することができる。
【０１１７】
ここで、別の実施形態では、候補のセットが第１の情報によって示されてもよく、ＷＵＥは第２の情報によって示されてもよい。
【０１１８】
次いで、ネットワーク側から第１の通信ユニット５１により第２の情報が受信される。ここで、第２の情報は、使用されるべき少なくとも１つの帯域幅部分が第１の情報を介して送信された少なくとも１つの帯域幅部分から選択されることをＵＥに示す。
【０１１９】
第１の処理ユニット５２は、第２の情報に従って、ネットワーク側により候補帯域幅部分から選択される、使用されるべき帯域幅部分を決定する。
【０１２０】
本実施形態では、第２の情報はＤＣＩを使用して送信することができ、第１の情報はＲＲＣシグナリングを使用して送信することができる。
【０１２１】
期間１内で、ＵＥは帯域幅部分構成を含む第１の情報を（例えば、ＲＲＣシグナリングにおいて）受信し、帯域幅部分構成は、ＷＵＥ候補の複数の構成を含む（例えば、図３では４つのＷＵＥ候補をとる）。ＷＵＥ候補の複数の構成は異なり得る。例えば、図３では、４つの帯域幅部分のサイズおよび位置が異なる。
【０１２２】
次に、ＵＥは、各々が１つまたは複数のスロット／ミニスロットの４つの候補の中の１つまたは複数のＷＵＥを示す、指示のセット（例えば図３では４つの指示をとる）を含む第２の情報を（例えばＤＣＩを介して）受信する。
【０１２３】
第２の情報に含まれる指示のセットは、タイムスロットの識別子、およびタイムスロット／ミニスロットに対応する帯域幅部分の通し番号を含み、結果、スロット／ミニスロット内の選択された帯域幅部分をそれに応じて取得することができる。
【０１２４】
図３の例では、各スロット／ミニスロットに対して１つのＷＵＥが示されている。帯域幅部分１−１はスロット／ミニスロット１−１に対して示され、帯域幅部分１−２はスロット／ミニスロット１−２に対して示され、帯域幅部分１−３はスロット／ミニスロット１−３に対して示され、帯域幅部分１−４はスロット／ミニスロット１−４に対して示されている。
【０１２５】
異なるスロット／ミニスロットに対して示されている帯域幅部分は異なる。
【０１２６】
期間２において、更新された第１の情報もＵＥに送信することができる。第１の情報は、帯域幅部分候補の別のセットを含むことができる。加えてまたは代替的に、更新された第２のメッセージがＵＥに送信されてもよい。第２の情報は、後続のスロット／ミニスロットの指示の別のセットを含み得る。
【０１２７】
期間２において、ＵＥは更新された第１の情報を受信することができる。第１の情報は、帯域幅部分候補の別のセットを含むことができる。加えてまたは代替的に、ＵＥは、更新された第２のメッセージを受信してもよい。第２の情報は、後続のスロット／ミニスロットの指示の別のセットを含むことができる。
【０１２８】
第１の通信ユニット５１は、ネットワーク側から第３の情報を受信することができる。ここで、第３の情報は、帯域幅部分内のリソース割り当てを示す。
【０１２９】
第１の通信ユニット５１は、ＤＣＩを介してネットワーク側から第３の情報を受信することができる。
【０１３０】
見てとれるように、本開示の実施形態の技術的解決策によれば、ＵＥのリソース割り当ての柔軟性が十分に改善されるように、複数のスロット／ミニスロットに対して１つのみの構成済み帯域幅部分がアクティブにされる。さらに、すべてのＵＥの帯域幅部分を、帯域幅全体を通じて柔軟に構成することができるため、システム帯域幅の様々な部分間ではるかに優れた負荷分散を実現することができる。システム帯域幅全体にわたる周波数リソースをより効率的に利用することができる。
【０１３１】
第４の実施形態
本開示の実施形態は、ネットワークデバイスを提供する。ネットワークデバイスは、第２の通信ユニットを含む。
【０１３２】
第２の通信ユニットは、ＵＥに第１の情報を送信するように構成されており、第１の情報は少なくとも１つの帯域幅部分の構成をＵＥに示し、結果、ＵＥは、少なくとも１つの構成済み帯域幅部分の少なくとも一部をアクティブにし、または、結果、ＵＥは、ネットワークデバイスを通じて少なくとも１つの構成済み帯域幅部分の少なくとも一部をアクティブにする。
【０１３３】
上記の解決策によれば、ＵＥは第１の情報を受信することができ、第１の情報は、帯域幅部分構成のセットを示すために使用される。異なるスロット／ミニスロットの帯域幅部分の構成は異なる場合がある。
【０１３４】
本実施形態では、各帯域幅部分構成は、１つまたは複数の帯域幅ＷＵＥを構成する。ＷＵＥ≦Ｗであり、ここでＷはシステム帯域幅である。ＵＥの送信および／または受信のためのリソースは、ＷＵＥ内で割り当てられる。
【０１３５】
少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含み得る。
【０１３６】
この構成は、例えば、スロット内のＤＬ部分および／またはＵＬ部分の位置および／または持続時間などの時間領域構造を含むことができる。
【０１３７】
少なくとも１つの信号の構成に関する情報は、同期信号、ブロードキャストチャネル、システム情報、参照信号などの構成のうちの少なくとも１つであり得る。
【０１３８】
上記の構成情報は、異なるスロット／ミニスロットの帯域幅部分構成間で異なる可能性があることにも留意されたい。
【０１３９】
帯域幅部分の少なくとも一部をアクティブにする方法について以下に説明する。
【０１４０】
一実施形態では、ＷＵＥは、第１の情報によって直接示される。
【０１４１】
この実施形態では、第２の通信ユニットは、少なくとも１つの期間の少なくとも一部の間に第１の情報をＵＥに送信することができる。
【０１４２】
例えば、図２に示すように、期間１において、ＵＥは、各々が１つまたは複数のスロット／ミニスロットの少なくとも１つのＷＵＥ（例えば図２では１つのＷＵＥをとる）の構成を含む、帯域幅部分構成のセット（例えば、図２では４つの構成をとる）を含む第１の情報を（例えば、ＲＲＣシグナリングにおいて）受信する。例えば、図２では、帯域幅部分１−１はスロット／ミニスロット１−１のために構成され、帯域幅部分１−２はスロット／ミニスロット１−２のために構成され、帯域幅部分１−３はスロット／ミニスロット１−３のために構成され、帯域幅部分１−４はスロット／ミニスロット１−４のために構成されている。
【０１４３】
異なるスロット／ミニスロットの帯域幅部分の構成は異なる。例えば、図２では、上記４つの帯域幅部分のサイズおよび位置が異なる。
【０１４４】
期間２において、ＵＥは、後続のスロット／ミニスロットの帯域幅部分構成の別のセットを含む更新された第１のメッセージを受信できる。
【０１４５】
上記の処理は、ＵＥが第１の情報を使用して構成を実行することができるように採用することができる。
【０１４６】
第２の通信ユニットは、第４の情報をＵＥに送信する。ここで、第４の情報は、時間領域構造をＵＥに示す。
【０１４７】
時間領域構造は、ＵＥの帯域幅部分の一部をアクティブにすべきか否かを制御するために使用される。例えば、タイマにより所定の時間がカウントされると、指示された部分を一度にアクティブにするように制御を行うことができる。
【０１４８】
したがって、少なくとも１つの構成済み帯域幅部分の少なくとも一部が時間領域構造に従ってアクティブにされる。具体的には、アクティブにすべき帯域幅部分としての少なくとも１つの構成済み帯域幅部分の第１の帯域幅部分、および、帯域幅部分がアクティブであるときに対応する持続時間が決定され、上記持続時間が経過したときに、アクティブな帯域幅部分が、少なくとも１つの構成済み帯域幅部分の第２の帯域幅部分に変えられる。
【０１４９】
ここで、持続時間はタイマを使用して決定することができる。例えば、第１の帯域幅部分がアクティブな帯域幅部分として決定されると、タイマは時間のカウントを開始することができ、タイマが事前に構成された期間をカウントすると、持続時間が経過したと判定される。
【０１５０】
無論、一実施形態では、帯域幅部分がアクティブである持続時間は、スロットまたはミニスロットまたはシンボルまたはｍｓの単位で構成されてもよい。換言すれば、例えば、持続時間がＮ個のミニスロットまたはＮ個のシンボルまたはＮミリ秒に達したとき、持続時間が経過したと判定される。ここで、Ｎは整数である。
【０１５１】
第１の帯域幅部分は、少なくとも１つの帯域幅部分のすべてまたは一部を参照し得る。換言すれば、１つまたは複数の第１の帯域幅部分が存在する場合がある。
【０１５２】
この実施形態では、第２の通信ユニットは、第３の情報をＵＥに送信することができる。ここで、第３の情報は、帯域幅部分内のリソース割り当てを示す。
【０１５３】
ここで、第２の通信ユニットは、ＤＣＩを介して第３の情報をＵＥに送信することができる。
【０１５４】
ここで、別の実施形態では、候補のセットが第１の情報によって示されてもよく、ＷＵＥは第２の情報によって示されてもよい。
【０１５５】
第２の通信ユニットは、第２の情報をＵＥに送信することができる。ここで、第２の情報は、使用されるべき少なくとも１つの帯域幅部分が第１の情報を介して送信された少なくとも１つの帯域幅部分から選択されることをＵＥに示す。
【０１５６】
第２の通信ユニットは、少なくとも期間の少なくとも一部の間に第２の情報をＵＥに送信することができる。
【０１５７】
本実施形態では、第２の情報はＤＣＩを使用して送信することができ、第１の情報はＲＲＣシグナリングを使用して送信することができる。
【０１５８】
期間１内で、ＵＥは帯域幅部分構成を含む第１の情報を（例えば、ＲＲＣシグナリングにおいて）受信し、帯域幅部分構成は、ＷＵＥ候補の複数の構成を含む（例えば、図３では４つのＷＵＥ候補をとる）。ＷＵＥ候補の複数の構成は異なり得る。例えば、図３では、４つの帯域幅部分のサイズおよび位置が異なる。
【０１５９】
次に、第２の情報がＵＥに（例えばＤＣＩを介して）送信される。第２の情報は、各々が１つまたは複数のスロット／ミニスロットの４つの候補の中の１つまたは複数のＷＵＥを示す、指示のセット（例えば図３では４つの指示をとる）を含むことができる。
【０１６０】
第２の情報に含まれる指示のセットは、タイムスロットの識別子、およびタイムスロット／ミニスロットに対応する帯域幅部分の通し番号を含み、結果、スロット／ミニスロット内の選択された帯域幅部分をそれに応じて取得することができる。
【０１６１】
図３の例では、各スロット／ミニスロットに対して１つのＷＵＥが示されている。帯域幅部分１−１はスロット／ミニスロット１−１に対して示され、帯域幅部分１−２はスロット／ミニスロット１−２に対して示され、帯域幅部分１−３はスロット／ミニスロット１−３に対して示され、帯域幅部分１−４はスロット／ミニスロット１−４に対して示されている。
【０１６２】
異なるスロット／ミニスロットに対して示されている帯域幅部分は異なる。
【０１６３】
期間２において、更新された第１の情報をＵＥに送信することができる。第１の情報は、帯域幅部分候補の別のセットを含むことができる。加えてまたは代替的に、更新された第２のメッセージがＵＥに送信されてもよい。第２の情報は、後続のスロット／ミニスロットの指示の別のセットを含み得る。
【０１６４】
第２の通信ユニットは、第３の情報をＵＥに送信することができる。ここで、第３の情報は、帯域幅部分内のリソース割り当てを示す。
【０１６５】
ここで、ネットワークデバイスはＤＣＩを介して第３の情報を送信することができる。
【０１６６】
見てとれるように、本開示の実施形態の技術的解決策によれば、ＵＥのリソース割り当ての柔軟性が十分に改善されるように、複数のスロット／ミニスロットに対して１つのみの構成済み帯域幅部分がアクティブにされる。さらに、すべてのＵＥの帯域幅部分を、帯域幅全体を通じて柔軟に構成することができるため、システム帯域幅の様々な部分間ではるかに優れた負荷分散を実現することができる。システム帯域幅全体にわたる周波数リソースをより効率的に利用することができる。
【０１６７】
本開示の実施形態は、ＵＥまたはネットワークデバイスのハードウェアアーキテクチャをさらに提供する。図６に示すように、ハードウェアアーキテクチャは、少なくとも１つのプロセッサ６１、メモリ６２、少なくとも１つのネットワークインターフェース６３を含む。様々な構成要素がバスシステム６４を介して互いに接続されている。バスシステム６４は、構成要素間の通信を実施するために使用されることが理解できる。データバスに加えて、バスシステムは、電力バス、制御バス、および状態信号バスをさらに含んでもよい。しかし、明確にするために、様々なバスがすべてバスシステム６４によって表されている。
【０１６８】
本開示の実施形態におけるメモリ６２は、揮発性メモリもしくは不揮発性メモリであり得るか、または揮発性メモリおよび不揮発性メモリの両方を含み得ることが理解され得る。
【０１６９】
いくつかの実施形態では、メモリ６２は、実行可能モジュールもしくはデータ構造、または実行可能モジュールもしくはデータ構造のサブセット、または実行可能モジュールもしくはデータ構造の拡張セットを記憶する。
【０１７０】
メモリ６２は、オペレーティングシステム６２１およびアプリケーション６２２をさらに含むことができる。
【０１７１】
ここで、プロセッサ６１は、第１の実施形態または第２の実施形態による方法を実行するように構成されているが、ここでは詳述しない。
【０１７２】
本開示の実施形態は、実行されるときに第１の実施形態または第２の実施形態による方法を実行するコンピュータ実行可能命令を記憶しているコンピュータ記憶媒体を提供する。
【０１７３】
本開示の実施形態による上記のデバイスは、デバイスがソフトウェア機能モジュールの形態で実装され、別個の製品として販売または使用される場合、コンピュータ可読記憶媒体に記憶することもできる。そのような理解に基づいて、本質的に本開示の実施形態の技術的解決策または従来技術に寄与する部分が、ソフトウェア製品の形態で具現化され得る。コンピュータソフトウェア製品は記憶媒体に記憶され、コンピュータデバイス（パーソナルコンピュータ、サーバ、ネットワーキングデバイスなどであってもよい）が本開示の様々な実施形態のすべてまたは一部を実行することができるような複数の命令を含む。記憶媒体は、ＵＳＢスティック、リムーバブルハードドライブ、読み出し専用メモリ（ＲＯＭ）、磁気ディスクまたは光ディスクなど、プログラミングコードを記憶することができる様々な媒体を含む。したがって、本開示の実施形態は、ハードウェアとソフトウェアとの任意の特定の組み合わせに限定されない。
【０１７４】
本開示の好ましい実施形態は、例示の目的で開示されているが、様々な修正、追加、および置換が可能であり得ることを当業者は理解するであろう。したがって、本開示の範囲は上記の実施形態に限定されない。
【手続補正２】
【補正対象書類名】特許請求の範囲
【補正対象項目名】全文
【補正方法】変更
【補正の内容】
【特許請求の範囲】
【請求項１】
ユーザ機器ＵＥにおいて実行される、リソースを構成するための方法であって、
ネットワーク側から第１の情報を受信することであって、前記第１の情報は少なくとも１つの帯域幅部分（１０１）の構成を前記ＵＥに示す、受信することと、
少なくとも１つの構成済み帯域幅部分（１０２）の少なくとも一部をアクティブにすることと
を含む、方法。
【請求項２】
前記少なくとも１つの構成済み帯域幅部分の少なくとも一部をアクティブにすることは、
時間領域構造に従って少なくとも１つの構成済み帯域幅部分の少なくとも一部を一度にアクティブにすることを含む、請求項１に記載の方法。
【請求項３】
前記少なくとも１つの帯域幅部分の前記構成は、時間領域構造を含む、
請求項２に記載の方法。
【請求項４】
前記少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含む、請求項１に記載の方法。
【請求項５】
前記少なくとも１つの構成済み帯域幅部分の第１の帯域幅部分は、アクティブな帯域幅部分として決定され、前記方法は、
前記アクティブな帯域幅部分に対応する持続時間が経過したときに、アクティブな前記帯域幅部分を、前記少なくとも１つの構成済み帯域幅部分の第２の帯域幅部分に変えることと
を含む、請求項２に記載の方法。
【請求項６】
前記帯域幅部分がアクティブである前記持続時間は、スロットまたはミニスロットまたはシンボルまたはｍｓの単位で構成される、請求項５に記載の方法。
【請求項７】
前記ネットワーク側を通じて前記少なくとも１つの構成済み帯域幅部分の少なくとも一部をアクティブにすることは、
前記ネットワーク側から第２の情報を受信することであって、前記第２の情報は、使用されるべき少なくとも１つの帯域幅部分が前記第１の情報を介して送信される前記少なくとも１つの帯域幅部分から選択されることを前記ＵＥに示す、受信することと、
前記第２の情報に従って、前記ネットワーク側によって候補帯域幅部分から選択される、使用されるべき前記帯域幅部分を決定することと
を含む、請求項１または４のいずれか一項に記載の方法。
【請求項８】
前記ネットワーク側（１０１）から前記第２の情報を受信することは、
ダウンリンク制御情報ＤＣＩを介して前記ネットワーク側から前記第２の情報を受信することを含む、請求項７に記載の方法。
【請求項９】
前記ネットワーク側（１０１）から第１の情報を受信することは、
無線リソース制御ＲＲＣシグナリングを介して前記ネットワーク側から前記第１の情報を受信することを含む、請求項１〜８のいずれか一項に記載の方法。
【請求項１０】
前記方法は、前記ネットワーク側から第３の情報を受信することをさらに含み、前記第３の情報は、前記帯域幅部分内のリソース割り当てを示す、
請求項１〜８のいずれか一項に記載の方法。
【請求項１１】
前記ネットワーク側から第３の情報を受信することは、ＤＣＩを介して前記ネットワーク側から前記第３の情報を受信することを含む、
請求項１０に記載の方法。
【請求項１２】
ユーザ機器ＵＥであって、
ネットワーク側から第１の情報を受信するように構成されている第１の通信ユニット（５１）であり、前記第１の情報は少なくとも１つの帯域幅部分の構成を前記ＵＥに示す、第１の通信ユニット（５１）と、
少なくとも１つの構成済み帯域幅部分の少なくとも一部をアクティブにするように構成されている第１の処理ユニット（５２）と
を備える、ＵＥ。
【請求項１３】
前記第１の処理ユニット（５２）は、時間領域構造に従って少なくとも１つの構成済み帯域幅部分の少なくとも一部を一度にアクティブにするように構成されている、請求項１２に記載のＵＥ。
【請求項１４】
前記少なくとも１つの帯域幅部分の前記構成は、時間領域構造を含む、請求項１３に記載のＵＥ。
【請求項１５】
前記少なくとも１つの帯域幅部分の構成は、サブキャリア間隔、帯域幅部分サイズ、周波数領域における帯域幅部分の位置、時間領域持続時間、および少なくとも１つの信号の構成に関する情報のうちの少なくとも１つを含む、請求項１２に記載のＵＥ。
【請求項１６】
前記少なくとも１つの構成済み帯域幅部分の第１の帯域幅部分は、アクティブな帯域幅部分として決定され、前記第１の処理ユニット（５２）は、さらに、前記アクティブな帯域幅部分に対応する持続時間が経過したときに、アクティブな前記帯域幅部分を、前記少なくとも１つの構成済み帯域幅部分の第２の帯域幅部分に変えるように構成されている、請求項１３に記載のＵＥ。
【請求項１７】
前記帯域幅部分がアクティブである前記持続時間は、スロットまたはミニスロットまたはシンボルまたはｍｓの単位で構成される、請求項１６に記載のＵＥ。
【請求項１８】
前記第１の通信ユニット（５１）は、前記ネットワーク側から第２の情報を受信するように構成されており、前記第２の情報は、使用されるべき少なくとも１つの帯域幅部分が前記第１の情報を介して送信される前記少なくとも１つの帯域幅部分から選択されることを前記ＵＥに示し、
前記第１の処理ユニット（５２）は、前記第２の情報に従って、前記ネットワーク側によって候補帯域幅部分から選択される、使用されるべき前記帯域幅部分を決定するように構成されており、
請求項１２または１５のいずれか一項に記載のＵＥ。
【請求項１９】
前記第１の通信ユニット（５１）は、ダウンリンク制御情報ＤＣＩを介して前記ネットワーク側から前記第２の情報を受信するように構成されている、請求項１８に記載のＵＥ。
【請求項２０】
前記第１の通信ユニット（５１）は、無線リソース制御ＲＲＣシグナリングを介して前記ネットワーク側から前記第１の情報を受信するように構成されている、請求項１２〜１９のいずれか一項に記載のＵＥ。
【請求項２１】
前記第１の通信ユニット（５１）は、前記ネットワーク側から第３の情報を受信するように構成されており、前記第３の情報は、前記帯域幅部分内のリソース割り当てを示す、請求項１２〜１９のいずれか一項に記載のＵＥ。
【請求項２２】
前記第１の通信ユニット（５１）は、ＤＣＩを介して前記ネットワーク側から前記第３の情報を受信するように構成されている、請求項２１に記載のＵＥ。
【請求項２３】
ユーザ機器ＵＥであって、プロセッサ（６１）と、前記プロセッサ（６１）上で実行可能なコンピュータプログラムを記憶しているメモリ（６２）とを備え、
前記プロセッサ（６１）が前記コンピュータプログラムを実行するときに、前記プロセッサ（６１）は、請求項１〜１１のいずれか一項に記載の方法を実行するように構成される、
ＵＥ。
【請求項２４】
実行されるときに請求項１〜１１のいずれか一項に記載の方法を実行するコンピュータ実行可能命令を記憶しているコンピュータ記憶媒体。